(57)【要約】【課題】電力供給や開閉制御のための配線を必要とせずに、外気の温度に応じて自動的に開閉することが可能な通風口装置を提供する。【解決手段】建物の外部Ｔ１から内部Ｔ２に外気Ｇを導入するための通風口装置Ａであって、外気Ｇが流通する通風路Ｒを開閉して外部Ｔ１と内部Ｔ２を連通／遮断する開閉機構１１を備え、この開閉機構１１が、外気Ｇの温度に応じて変形するバイメタル１２と、バイメタル１２の変形に従動して通風路Ｒを開閉する開閉部材１０とを備える。【選択図】図１
2013007511.tif 000002
【特許請求の範囲】
【請求項１】
建物の外部から内部に外気を導入するための通風口装置であって、
前記外気が流通する通風路を開閉して前記外部と前記内部を連通／遮断する開閉機構を備え、
前記開閉機構が、外気の温度に応じて変形するバイメタルと、該バイメタルの変形に従動して前記通風路を開閉する開閉部材とを備えていることを特徴とする通風口装置。
【請求項２】
請求項１記載の通風口装置において、
前記通風路を流通する外気の風圧に応じて、前記通風路を開閉する外気流量調節機構を備えていることを特徴とする通風口装置。
【発明の詳細な説明】
【技術分野】
【０００１】
本発明は、建物の壁等に設置され、外気を室内に導入して換気を行うための通風口装置に関する。
【背景技術】
【０００２】
従来、例えばマンションやオフィスビル、住宅などの建物は、壁などに形成した開口部に通風口（通風口装置）を取り付け、この通風口を通じて外気を室内に導入して換気を行うようにしている（例えば、特許文献１、特許文献２参照）。
【先行技術文献】
【特許文献】
【０００３】
【特許文献１】特開２０００−１２１１３０号公報
【特許文献２】特開２００３−１６１５００号公報
【発明の概要】
【発明が解決しようとする課題】
【０００４】
一方、従来、この種の通風口は、その開閉を手動で行う手動式通風口と電動で行う電動式通風口とに大別される。そして、電動式通風口は、例えば、外気温度をセンサーで検知し、この検知結果に基づいて、外気導入が省エネの観点で望ましい場合に、通風口（通風路）を「開」とし、そうでない場合に「閉」となるように、開閉制御する。
【０００５】
しかしながら、上記のような電動式通風口は、電動で開閉制御するため、電力供給のための配線や開閉制御のための配線が必要になり、通風口のコスト、さらに設備工事のコストが必要になって割高になるという欠点があった。ちなみに、手動式通風口は、低コストであるが、開閉が面倒であり、閉め忘れなどで省エネ効果が失われる。
【０００６】
本発明は、上記事情に鑑み、電力供給や開閉制御のための配線を必要とせずに、外気の温度に応じて自動的に開閉することが可能な通風口装置を提供することを目的とする。
【課題を解決するための手段】
【０００７】
上記の目的を達するために、この発明は以下の手段を提供している。
【０００８】
本発明の通風口装置は、建物の外部から内部に外気を導入するための通風口装置であって、前記外気が流通する通風路を開閉して前記外部と前記内部を連通／遮断する開閉機構を備え、前記開閉機構が、外気の温度に応じて変形するバイメタルと、該バイメタルの変形に従動して前記通風路を開閉する開閉部材とを備えていることを特徴とする。
【０００９】
また、本発明の通風口装置においては、前記通風路を流通する外気の風圧に応じて、前記通風路を開閉する外気流量調節機構を備えていることが望ましい。
【発明の効果】
【００１０】
本発明の通風口装置においては、外気の温度に応じてバイメタルが変形することによって、外気の温度に応じて自動的に開閉部材を開閉駆動させることができる。よって、従来のように電力供給のための配線や駆動制御のための配線を設けることなく、所望の外気の温度に応じて開閉部材を自動的に開閉させることができ、安価で、確実に省エネ効果を得ることが可能な通風口装置を提供することが可能になる。
【図面の簡単な説明】
【００１１】
【図１】本発明の第１実施形態に係る通風口装置を示す図である。
【図２】本発明の第２実施形態に係る通風口装置を示す図である。
【図３】本発明の第３実施形態に係る通風口装置を示す図である。
【発明を実施するための形態】
【００１２】
以下、図１を参照し、本発明の第１実施形態に係る通風口装置について説明する。本実施形態は、外気を室内に導入して換気を行うための通風口装置に関するものである。
【００１３】
本実施形態の通風口装置Ａは、図１に示すように、建物の壁などに形成した開口部に設置され、建物の外部（室外）Ｔ１と内部（室内）Ｔ２を連通させる通風路Ｒを形成するケーシング１と、ケーシング１の通風路Ｒを開閉して建物の外部Ｔ１と室内Ｔ２を連通／遮断する開閉機構２と、通風路Ｒを流通して室内に導入する外気Ｇの流量を調節する流量調節機構３とを備えている。
【００１４】
ケーシング１は、建物の外部Ｔ１側の壁面に沿う一側壁部１ａに通風路Ｒの開口である外気導入口４が形成され、この外気導入口４から通風路Ｒが建物の外部Ｔ１から内部Ｔ２に向かう横方向Ｓ１に延び、途中で上方に屈曲し、室内Ｔ２側の天板部１ｂに開口して外気給気口５が形成されている。また、このとき、外気導入口４と外気給気口５には、通風路Ｒに導入する外気Ｇや通風路Ｒから室内Ｔ２に給気する外気Ｇを整流したり、雨水の侵入を防止したり、通風路Ｒの内部を隠しつつ、外気導入口４や外気給気口５の美観を向上させるなどを目的とした部材６が設けられている。
【００１５】
また、ケーシング１には、外気給気口５側の通風路Ｒ内に、通風路Ｒを流通する外気Ｇが通過するとともに外気Ｇに含まれた虫や花粉、粉塵などの異物を捕捉して除去するフィルター７が設けられている。さらに、通風路Ｒの屈曲部Ｒ１から外気給気口５付近までの通風路Ｒ（Ｒ２）内には、外気導入口４から導入して通風路Ｒを外気Ｇが流通することにより、また、屈曲部Ｒ１で外気Ｇの流通方向が変化することなどによって発生した音を吸収し、異音の発生を抑止するための吸音材８が設けられている。この吸音材８は、例えばステンレスファイバーやセラミックファイバーなどを用いて形成されている。
【００１６】
さらに、本実施形態のケーシング１は、通風路Ｒの外気導入口４から横方向Ｓ１内側の屈曲部Ｒ１まで延びる部分Ｒ３の上方に、開閉機構収容空間Ｈを備えて形成されている。この開閉機構収容空間Ｈは、建物の壁面に沿う一側壁部１ａと、外気給気口５が形成された天板部１ｂと、通風路Ｒを形成する内壁部１ｃとで囲まれて形成されている。また、開閉機構収容空間Ｈを形成する側壁部１ａには、開閉機構収容空間Ｈを外部Ｔ１と連通させるためのスリット１ｄが形成されている。さらに、開閉機構収容空間Ｈを形成する内壁部１ｃの外気導入口４から横方向Ｓ１内側に延びる部分の通風路Ｒ３には、開閉機構収容空間Ｈから通風路Ｒに貫通する開閉板進退口９が形成されている。
【００１７】
開閉機構２は、開閉板進退口９を通じて開閉機構収容空間Ｈから通風路Ｒに進退することによって通風路Ｒを開閉し、建物の外部Ｔ１と室内Ｔ２を連通／遮断する開閉板（開閉部材）１０と、この開閉板１０を進退駆動させるための駆動機構１１とを備えて構成されている。本実施形態の開閉機構２の駆動機構１１は、熱膨張率が異なる金属板を貼り合せて形成されるとともに、渦巻状に形成されたバイメタル１２を備えている。そして、バイメタル１２は、渦巻きの中心側の一端部をケーシング１に固設した支持部材１３に接続し、他端部を開閉板１０に接続して、開閉機構収容空間Ｈに収容した形で設けられている。また、このとき、バイメタル１２は、ケーシング１の側壁部１ａ側（側壁部１ａに形成したスリット１ｄ近傍）に配設されている。
【００１８】
一方、流量調節機構３は、通風路Ｒ内に設けられており、通風路Ｒを流通する外気Ｇの流通方向Ｐに略直交する横方向Ｓ２に延びる軸部１６と、上下方向Ｓ３略中央を軸部１６に、軸部回りに回動可能に接続して支持された流量調節板１４と、ケーシング１の内壁部１ｃに一端を、流量調節板１４の軸部１６を間に上端部側に他端をそれぞれ接続して設けられたバネなどの弾性体１５とを備えている。また、流量調節板１４は、上端部側を通風路Ｒの屈曲部Ｒ１から外気給気口５側の部分Ｒ２に、下端部側を通風路Ｒの外気導入口４から横方向Ｓ１内側に延びる部分Ｒ３にそれぞれ配設し、且つ下端部側の一面１４ａが外気導入口４側を向くようにして設けられている。
【００１９】
上記構成からなる本実施形態の通風口装置Ａにおいては、ケーシング１の側壁部１ａにスリット１ｄが設けられているため、このスリット１ｄを通じて外気Ｇの温度が開閉機構収容空間Ｈ内に収容した開閉機構２のバイメタル１２に伝わる。そして、外気Ｇの温度が１０℃以上２２℃以下など、適温の設定温度範囲にあると、例えば、この外気Ｇの温度に応じてバイメタル１２がその渦巻きを多重巻きにするように縮み、これに従動して、バイメタル１２の他端部に接続した開閉板１０が開閉板進退口９を通じて通風路Ｒから開閉機構収容空間Ｈ内に引き上げられた状態になる。これにより、通風路Ｒが開いた状態となり、外気導入口４から外気Ｇが導入されて通風路Ｒを流通し、外気給気口５から室内Ｔ２に給気されて、換気が行われる。
【００２０】
また、このとき、外部Ｔ１の風が強く、外気導入口４から外気Ｇが大きな流速（大きな風圧）で通風路Ｒに流入した場合には、強風の外気Ｇが流量調節機構３の流量調節板１４の一面１４ａに当たり、この外気Ｇの風圧によって、弾性体１５を弾性変形させつつ流量調節板１４が通風路Ｒを閉じるように軸部１６回りの一方向に回動する。これにより、通風路Ｒの流路面積が自動的に小さくなる。また、外気Ｇの流速が小さくなると、流量調節板１４が弾性体１５の弾性力によって通風路Ｒを開くように軸部１６回りの他方向に回動し、これにより、通風路Ｒの流路面積が自動的に大きくなる。このように、外部Ｔ１から通風路Ｒに導入される外気Ｇの流速（風圧、ひいては流量）の大小に応じて、流量調節板１４が回動し、通風路Ｒの流路面積が大小変化するため、強風時には、流量調節板１４によって通風路Ｒを遮断したり、流路面積を小さくして少量の外気Ｇが外気給気口５から室内Ｔ２に給気されるように自動的に調節される。
【００２１】
さらに、本実施形態の通風口装置Ａにおいては、通風路Ｒを外気Ｇが流通することによって音が発生した場合であっても、この音が吸音材８によって吸収されて減衰する。これにより、外気Ｇを室内Ｔ２に導入することに伴って、異音が発生することが抑止され、住環境などを乱すことなく、好適に換気が行えることになる。
【００２２】
また、外気給気口５から室内Ｔ２に給気される前に、通風路Ｒを流通する外気Ｇがフィルター７を通過するため、外気Ｇに虫や花粉、粉塵などの異物が含まれている場合であっても、これら異物がフィルター７によって捕捉されて除去される。よって、この点からも、住環境などを乱すことなく、好適に換気が行えることになる。
【００２３】
一方、外気Ｇの温度が例えば２２℃を超え、適温の設定範囲から外れると、例えば、この外気Ｇの温度に応じた変形量でバイメタル１２の渦巻きが伸びるように変形する。そして、バイメタル１２が変形すると、その変形量に応じて従動し、開閉板進退口９から開閉板１０が通風路Ｒに進出し、通風路Ｒを閉じる。また、外気Ｇの温度が再度ある設定温度範囲になると、外気Ｇの温度に応じてバイメタル１２の渦巻きが多重巻きになるように縮んだ状態に戻り、通風路Ｒが開かれて外気導入口４から外気Ｇが導入され、外気給気口５から室内Ｔ２に給気される。
【００２４】
すなわち、本実施形態の通風口装置Ａでは、外気Ｇの温度をバイメタル１２が感知し、この外気Ｇの温度に応じてバイメタル１２が変形することで、開閉板１０による通風路Ｒの開閉駆動が自動的に行われる。
【００２５】
したがって、本実施形態の通風口装置Ａによれば、外気Ｇの温度に応じてバイメタル１２が変形することによって、外気Ｇの温度に応じて自動的に開閉板１０を開閉駆動させることができる。よって、従来のように電力供給のための配線や駆動制御のための配線を設けることなく、所望の外気Ｇの温度に応じて開閉板１０を自動的に開閉させることができ、安価で、確実に省エネ効果を得ることが可能な通風口装置Ａを提供することが可能になる。
【００２６】
また、本実施形態の通風口装置Ａにおいては、通風路Ｒを外気Ｇが流通することによって発生する音を吸音材８によって吸収して減衰させることができるため、外気Ｇを室内Ｔ２に取り込むことによって、異音が発生することを抑止でき、住環境などを乱すことなく、好適に換気を行うことが可能になる。
【００２７】
さらに、本実施形態の通風口装置Ａにおいては、外気給気口５から室内Ｔ２に給気される前に、通風路Ｒを流通する外気Ｇがフィルター７を通過するため、外気Ｇに虫や花粉、粉塵などの異物が含まれている場合であっても、これら異物をフィルター７によって捕捉して除去することができる。よって、この点からも、住環境などを乱すことなく、好適に換気を行うことが可能になる。
【００２８】
次に、図２を参照し、本発明の第２実施形態に係る通風口装置について説明する。本実施形態の通風口装置は、第１実施形態と同様、外気を室内に導入して換気を行うための通風口装置に関するものであり、第１実施形態に対し、主に開閉機構の構成が異なる。よって、本実施形態では、第１実施形態と同様の構成に対して同一符号を付し、その詳細な説明を省略する。
【００２９】
図２に示すように、本実施形態の通風口装置Ｂは、第１実施形態と同様、建物の外部Ｔ１と室内Ｔ２を連通させる通風路Ｒを形成するケーシング１と、ケーシング１の通風路Ｒを開閉して建物の外部Ｔ１と室内Ｔ２を連通／遮断する開閉機構２０と、通風路Ｒを流通させて室内Ｔ２に導入する外気Ｇの流量を調節する流量調節機構３とを備えている。
【００３０】
一方、本実施形態の開閉機構２０は、図２に示すように、一面から他面に貫通する貫通孔２１ａを備えた固定板２１と、一面から他面に貫通する貫通孔２２ａを備えた開閉板（開閉部材）２２と、開閉板２２を進退駆動させるための駆動機構１１とで構成されている。
【００３１】
固定板２１は、貫通孔２１ａが、横方向Ｓ２に延び、上下方向Ｓ３に所定の間隔をあけて並設された複数のスリットとして形成されている。そして、この固定板２１は、外気導入口４側の通風路Ｒと外気給気口５側の通風路Ｒを複数のスリット２１ａを介して連通させるようにして、通風路Ｒ内に固定して設けられている。
【００３２】
開閉板２２は、固定板２１と同様に、貫通孔２２ａが、横方向Ｓ２に延び、上下方向Ｓ３に所定の間隔をあけて並設された複数のスリットとして形成されている。また、開閉板２２は、固定板２１と重なるようにして通風路Ｒ内に配設されるとともに、駆動機構１１によって上下方向Ｓ３に進退可能に配設されている。そして、開閉板２２は、駆動機構１１によって上下方向Ｓ３に進退したときに、固定板２１と互いのスリット２１ａ、２２ａが重なると、通風路Ｒを開いて連通させ、固定板２１と互いのスリット２１ａ、２２ａが上下にずれると、通風路Ｒを閉じて遮断する。
【００３３】
駆動機構１１は、第１実施形態と同様、熱膨張率が異なる金属板を貼り合せて形成されるとともに、渦巻状に形成されたバイメタル１２を備えている。そして、この駆動機構１１のバイメタル１２は、渦巻きの中心側の一端部をケーシング１に固設した支持部材１３に接続し、開閉機構収容空間Ｈ内のケーシング１の側壁部１ａ側に配設されている。さらに、本実施形態では、ケーシング１の内壁部１ｃに形成した開閉板進退口９を通じてバイメタル１２の他端部を開閉板２２に接続し、このバイメタル１２によって開閉板２２を上下方向Ｓ３に進退可能に支持している。
【００３４】
上記構成からなる本実施形態の通風口装置Ｂにおいては、第１実施形態と同様、ケーシング１の側壁部１ａのスリット１ｄを通じて外気Ｇの温度が開閉機構２０のバイメタル１２に伝わる。そして、外気Ｇの温度が例えば１０℃以上２２℃以下など、適温の設定温度範囲にあると、この外気Ｇの温度に応じてバイメタル１２の渦巻きが多重巻きになるように縮んだ状態となり、これに従動して、バイメタル１２の他端部に接続した開閉板２２が引き上がる。
【００３５】
一方、外気Ｇの温度が例えば２２℃を超えると、この外気Ｇの温度に応じた変形量でバイメタル１２の渦巻きが伸びるように変形する。そして、このようにバイメタル１２が変形すると、その変形量に応じて従動し、開閉板２２が下がる。また、外気Ｇの温度が再度ある設定温度範囲になると、外気Ｇの温度に応じてバイメタル１２の渦巻きが多重巻きになるように縮んだ状態に戻り、開閉板２２が引き上がる。
【００３６】
そして、バイメタル１２が外気Ｇの温度を感知し、外気Ｇの温度に応じて開閉板２２が上下に進退することによって、開閉板２２と固定板２１のスリット２１ａ、２２ａ同士が重なると、通風路Ｒが開き、外気Ｇが通風路Ｒを流通して室内Ｔ２に給気されて、換気が行われる。また、開閉板２２と固定板２１のスリット２１ａ、２２ａが上下にずれると、通風路Ｒが閉じて遮断される。
【００３７】
したがって、本実施形態の通風口装置Ｂにおいても、第１実施形態と同様に、外気Ｇの温度に応じてバイメタル１２が変形することによって、外気Ｇの温度に応じて自動的に開閉板２２を開閉駆動させることができる。よって、従来のように電力供給のための配線や駆動制御のための配線を設けることなく、所望の外気Ｇの温度に応じて開閉板２２を自動的に開閉させることができ、安価で、確実に省エネ効果を得ることが可能な通風口装置Ｂを提供することが可能になる。
【００３８】
次に、図３を参照し、本発明の第３実施形態に係る通風口装置について説明する。本実施形態の通風口装置は、第１、第２実施形態と同様、外気を室内に導入して換気を行うための通風口装置に関するものであり、第１、第２実施形態に対し、主に開閉機構の構成が異なる。よって、本実施形態では、第１、第２実施形態と同様の構成に対して同一符号を付し、その詳細な説明を省略する。
【００３９】
図３に示すように、本実施形態の通風口装置Ｃは、第１、第２実施形態と同様、建物の外部Ｔ１と室内Ｔ２に連通した通風路Ｒを形成するケーシング１と、ケーシング１の通風路Ｒを開閉して建物の外部Ｔ１と室内Ｔ２を連通／遮断する開閉機構２５と、通風路Ｒを流通させて室内Ｔ２に導入する外気Ｇの流量を調節する流量調節機構３とを備えている。
【００４０】
一方、本実施形態の開閉機構２５は、図３に示すように、通風路Ｒの外気導入口４側において、横方向Ｓ２に延び、上下に間隔をあけて並設された複数の支持軸２６と、各支持軸２６にそれぞれ、支持軸回りに回動可能に支持されて設けられた複数の羽板（開閉部材、ルーバー）２７と、複数の羽板２７を回動させるための駆動機構１１とで構成されている。
【００４１】
駆動機構１１は、第１、第２実施形態と同様、熱膨張率が異なる金属板を貼り合せて形成されるとともに、渦巻状に形成されたバイメタル１２を備えている。そして、この駆動機構１１のバイメタル１２は、渦巻きの中心側の一端部をケーシング１に固設した支持部材１３に接続し、開閉機構収容空間Ｈ内のケーシング１の側壁部１ａ側に配設されている。さらに、本実施形態では、ケーシング１の内壁部１ｃに形成した開閉板進退口９を通じてバイメタル１２の他端部側が、通風路Ｒ内に延出し、複数の羽板２７にそれぞれ回動軸２８を介して接続されるとともに、支持軸２６に沿う横方向Ｓ２に延びる回動軸２８の軸線周りに回動可能に接続されている。なお、このとき、羽板２７と、支持軸２６及び／又は回動軸２７は、各軸２６、２７の軸線に直交する方向に相対的にスライド移動可能に接続されていることが好ましい。
【００４２】
上記構成からなる本実施形態の通風口装置Ｃにおいては、第１、第２実施形態と同様、ケーシング１の側壁部１ａのスリット１ｄを通じて外気Ｇの温度がバイメタル１２に伝わる。そして、外気Ｇの温度が例えば１０℃以上２２℃以下など、適温の設定温度範囲にあると、この外気Ｇの温度に応じてバイメタル１２が変形し、バイメタル１２の他端部側が引き上がる。これにより、複数の羽板２７が上下に隣り合う羽板２７同士の間に大きな隙間を開けるように、支持軸回り及び回動軸回りに回動する。
【００４３】
一方、外気Ｇの温度が例えば２２℃を超えると、この外気Ｇの温度に応じた変形量でバイメタル１２の渦巻きが伸びるように変形する。そして、このようにバイメタル１２が変形すると、その変形量に応じてバイメタル１２の他端部側が下がり、これとともに複数の羽板２７が上下に隣り合う羽板２７同士の間の隙間を閉じるように、支持軸回り及び回動軸回りに回動する。
【００４４】
このようにバイメタル１２が外気Ｇの温度を感知し、外気Ｇの温度に応じて開閉板である複数の羽板２７が回動（従動）することによって、通風路Ｒが自動的に開閉する。
【００４５】
したがって、本実施形態の通風口装置Ｃにおいても、第１、第２実施形態と同様に、外気Ｇの温度に応じてバイメタル１２が変形することによって、外気Ｇの温度に応じて自動的に開閉板（複数の羽板２７）を開閉駆動させることができる。よって、従来のように電力供給のための配線や駆動制御のための配線を設けることなく、所望の外気Ｇの温度に応じて開閉板２７を自動的に開閉させることができ、安価で、確実に省エネ効果を得ることが可能な通風口装置Ｃを提供することが可能になる。
【００４６】
以上、本発明に係る通風口装置の第１、第２、第３実施形態について説明したが、本発明は上記の実施形態に限定されるものではなく、その趣旨を逸脱しない範囲で適宜変更可能である。
【符号の説明】
【００４７】
１      ケーシング
１ａ    側壁部
１ｂ    天板部
１ｃ    内壁部
１ｄ    スリット
２      開閉機構
３      流量調節機構
４      外気導入口
５      外気給気口
７      フィルター
８      吸音材
９      開閉板進退口
１０    開閉板（開閉部材）
１１    駆動機構
１２    バイメタル
１３    支持部材
１４    流量調節板
１４ａ  一面
１５    弾性体
１６    軸部
２０    開閉機構
２１    固定板
２１ａ  スリット（貫通孔）
２２    開閉板（開閉部材）
２２ａ  スリット（貫通孔）
２５    開閉機構
２６    支持軸
２７    羽板（開閉部材）
２８    回動軸
Ａ      通風口装置
Ｂ      通風口装置
Ｃ      通風口装置
Ｇ      外気
Ｈ      開閉機構収容空間
Ｐ      流通方向
Ｒ      通風路
Ｒ１    屈曲部
Ｒ２    通風路
Ｒ３    通風路
Ｓ１    横方向
Ｓ２    横方向
Ｓ３    上下方向
Ｔ１    外部（室外）
Ｔ２    内部（室内）
【図１】
2013007511.tif 000003
【図２】
2013007511.tif 000004
【図３】
2013007511.tif 000005